(57)【要約】【課題】移動体端末装置を用いて、放送波の受信エリアに拘らず、放送局を自動的に選局することができる自動選局システム及び自動選局方法を提供すること。【解決手段】移動体端末１のエリア情報に基づいて放送可能な放送局を選別し、選別された放送局の放送情報とユーザが移動体端末１に入力した嗜好情報との間のマッチングを行って嗜好情報に該当する該当放送局６を選別し、該当放送局の放送情報を用いて選局タイムスケジュールを作成し、選局タイムスケジュールに基づいて放送サービス受信端末７が選局処理を行う。このため、移動体端末１を用いて、放送波の受信エリアに拘らず、放送局を自動的に選局することができる。【選択図】図１
2007306124.tif 000002
【特許請求の範囲】
【請求項１】
嗜好情報を入力する入力手段及び選局タイムスケジュールに応じて選局を依頼する選局依頼手段を有する移動体端末装置と、前記移動体端末装置とネットワークを介して接続され、前記移動体端末装置のエリア情報に基づいて放送可能な放送局を選別する選別手段、選別された放送局の放送情報と前記移動体端末装置に入力した嗜好情報との間のマッチングを行うマッチング手段及びマッチングされた放送情報を用いて選局タイムスケジュールを作成する選局タイムスケジュール作成手段を有する情報サーバと、前記移動体端末装置に接続され、前記選局タイムスケジュールに基づいて選局処理を行う選局処理手段を有する放送サービス受信端末と、を具備することを特徴とする自動選局システム。
【請求項２】
嗜好情報を入力する入力手段、自装置のエリア情報に基づいて放送可能な放送局を選別する選別手段、選別された放送局の放送情報と前記移動体端末装置に入力した嗜好情報との間のマッチングを行うマッチング手段、マッチングされた放送情報を用いて選局タイムスケジュールを作成する選局タイムスケジュール作成手段及び前記選局タイムスケジュールに応じて選局を依頼する選局依頼手段を有する移動体端末装置と、前記移動体端末装置に接続され、前記選局タイムスケジュールに基づいて選局処理を行う選局処理手段を有する放送サービス受信端末と、を具備することを特徴とする自動選局システム。
【請求項３】
嗜好情報を入力する入力手段を有する移動体端末装置と、前記移動体端末装置に接続され、前記移動体端末装置のエリア情報に基づいて放送可能な放送局を選別する選別手段、選別された放送局の放送情報と前記移動体端末装置に入力した嗜好情報との間のマッチングを行うマッチング手段、マッチングされた放送情報を用いて選局タイムスケジュールを作成する選局タイムスケジュール作成手段及び前記選局タイムスケジュールに基づいて選局処理を行う選局処理手段を有する放送サービス受信端末と、を具備することを特徴とする自動選局システム。
【請求項４】
前記移動体端末装置は、自動選局モードと手動選局モードとを変更するモード変更手段を有することを特徴とする請求項１から請求項３のいずれかに記載の自動選局システム。
【請求項５】
移動体端末装置のエリア情報に基づいて放送可能な放送局を選別する第１選別工程と、選別された放送局の放送情報とユーザが前記移動体端末装置に入力した嗜好情報との間のマッチングを行って前記嗜好情報に該当する該当放送局を選別する第２選別工程と、前記該当放送局の放送情報を用いて選局タイムスケジュールを作成する選局タイムスケジュール作成工程と、前記選局タイムスケジュールに基づいて選局処理を行う選局処理工程と、を具備することを特徴とする自動選局方法。
【請求項６】
前記移動体端末装置とネットワークを介して接続された情報サーバにおいて前記第１選別工程、前記第２選別工程及び前記選局タイムスケジュール工程を行い、前記移動体端末装置に接続された放送サービス受信端末において前記選局処理工程を行うことを特徴とする請求項５記載の自動選局方法。
【請求項７】
前記移動体端末装置において前記第１選別工程、前記第２選別工程及び前記選局タイムスケジュール工程を行い、前記移動体端末装置に接続された放送サービス受信端末において前記選局処理工程を行うことを特徴とする請求項５記載の自動選局方法。
【請求項８】
前記移動体端末装置に接続された放送サービス受信端末において前記第１選別工程、前記第２選別工程、前記選局タイムスケジュール工程及び前記選局処理工程を行うことを特徴とする請求項５記載の自動選局方法。
【請求項９】
前記第２選別工程は、ユーザの嗜好情報の優先度に応じて行われることを特徴とする請求項５から請求項８のいずれかに記載の自動選局方法。
【発明の詳細な説明】
【技術分野】
【０００１】
本発明は、自動選局システム及び自動選局方法に関し、特に移動体端末装置を用いて放送局を自動的に選局する自動選局システム及び自動選局方法に関する。
【背景技術】
【０００２】
放送局が放送する番組を視聴する場合には、通常、放送局側で予め決められたタイムスケジュールに基づいて、視聴する放送局を手動で選択して行う。このタイムスケジュールは、インターネットなどで公開されており、その内容を確認できるようになっている。
【０００３】
近年、携帯電話などの移動体端末装置の普及に伴って、放送局が放送する番組を携帯電話で視聴することができる技術が開発されている。例えば、特開２００４−４０１６５号公報には、携帯電話に登録された内容に基づいて、放送する内容を変更することができる放送サービスが開示されている。
【特許文献１】特開２００４−４０１６５号公報
【発明の開示】
【発明が解決しようとする課題】
【０００４】
しかしながら、従来の放送局の選局は、放送されている番組の中から、好みのアーティスト・曲・ジャンルなどを手動で探して行うか、放送局が公開しているタイムスケジュールやイベント情報などをインターネットなどで事前に確認してから手動で選局しなければならないという煩わしさがあった。また、ユーザの移動によって放送波の受信エリアが変わる場合には、放送受信可能エリアを考慮した選局スケジューリングが必要であり、このような選局スケジューリングは手動設定では限界があった。
【０００５】
本発明はかかる点に鑑みてなされたものであり、移動体端末装置を用いて、放送波の受信エリアに拘らず、放送局を自動的に選局することができる自動選局システム及び自動選局方法を提供することを目的とする。
【課題を解決するための手段】
【０００６】
本発明の自動選局システムは、嗜好情報を入力する入力手段及び選局タイムスケジュールに応じて選局を依頼する選局依頼手段を有する移動体端末装置と、前記移動体端末装置とネットワークを介して接続され、前記移動体端末装置のエリア情報に基づいて放送可能な放送局を選別する選別手段、選別された放送局の放送情報と前記移動体端末装置に入力した嗜好情報との間のマッチングを行うマッチング手段及びマッチングされた放送情報を用いて選局タイムスケジュールを作成する選局タイムスケジュール作成手段を有する情報サーバと、前記移動体端末装置に接続され、前記選局タイムスケジュールに基づいて選局処理を行う選局処理手段を有する放送サービス受信端末と、を具備することを特徴とする。
【０００７】
本発明の自動選局システムは、嗜好情報を入力する入力手段、自装置のエリア情報に基づいて放送可能な放送局を選別する選別手段、選別された放送局の放送情報と前記移動体端末装置に入力した嗜好情報との間のマッチングを行うマッチング手段、マッチングされた放送情報を用いて選局タイムスケジュールを作成する選局タイムスケジュール作成手段及び前記選局タイムスケジュールに応じて選局を依頼する選局依頼手段を有する移動体端末装置と、前記移動体端末装置に接続され、前記選局タイムスケジュールに基づいて選局処理を行う選局処理手段を有する放送サービス受信端末と、を具備することを特徴とする。
【０００８】
本発明の自動選局システムは、嗜好情報を入力する入力手段を有する移動体端末装置と、前記移動体端末装置に接続され、前記移動体端末装置のエリア情報に基づいて放送可能な放送局を選別する選別手段、選別された放送局の放送情報と前記移動体端末装置に入力した嗜好情報との間のマッチングを行うマッチング手段、マッチングされた放送情報を用いて選局タイムスケジュールを作成する選局タイムスケジュール作成手段及び前記選局タイムスケジュールに基づいて選局処理を行う選局処理手段を有する放送サービス受信端末と、を具備することを特徴とする。
【０００９】
これらの構成によれば、ユーザが移動体端末装置に入力した嗜好情報と、公開されている放送情報との間でマッチング検索を行った結果に基づいて、放送局を自動的に選局することができる。したがって、移動体端末装置を用いて、放送波の受信エリアに拘らず、放送局を自動的に選局することができる。
【００１０】
本発明の自動選局システムにおいては、前記移動体端末装置は、自動選局モードと手動選局モードとを変更するモード変更手段を有することが好ましい。
【００１１】
本発明の自動選局方法は、移動体端末装置のエリア情報に基づいて放送可能な放送局を選別する第１選別工程と、選別された放送局の放送情報とユーザが前記移動体端末装置に入力した嗜好情報との間のマッチングを行って前記嗜好情報に該当する該当放送局を選別する第２選別工程と、前記該当放送局の放送情報を用いて選局タイムスケジュールを作成する選局タイムスケジュール作成工程と、前記選局タイムスケジュールに基づいて選局処理を行う選局処理工程と、を具備することを特徴とする。
【００１２】
この方法によれば、ユーザが移動体端末装置に入力した嗜好情報と、公開されている放送情報との間でマッチング検索を行った結果に基づいて、放送局を自動的に選局することができる。したがって、移動体端末装置を用いて、放送波の受信エリアに拘らず、放送局を自動的に選局することができる。
【００１３】
本発明の自動選局方法においては、前記移動体端末装置とネットワークを介して接続された情報サーバにおいて前記第１選別工程、前記第２選別工程及び前記選局タイムスケジュール工程を行い、前記移動体端末装置に接続された放送サービス受信端末において前記選局処理工程を行うことが好ましい。
【００１４】
本発明の自動選局方法においては、前記移動体端末装置において前記第１選別工程、前記第２選別工程及び前記選局タイムスケジュール工程を行い、前記移動体端末装置に接続された放送サービス受信端末において前記選局処理工程を行うことが好ましい。
【００１５】
本発明の自動選局方法においては、前記移動体端末装置に接続された放送サービス受信端末において前記第１選別工程、前記第２選別工程、前記選局タイムスケジュール工程及び前記選局処理工程を行うことが好ましい。
【００１６】
本発明の自動選局方法においては、前記第２選別工程は、ユーザの嗜好情報の優先度に応じて行われることが好ましい。
【発明の効果】
【００１７】
本発明によれば、移動体端末装置のエリア情報に基づいて放送可能な放送局を選別し、選別された放送局の放送情報とユーザが前記移動体端末装置に入力した嗜好情報との間のマッチングを行って前記嗜好情報に該当する該当放送局を選別し、前記該当放送局の放送情報を用いて選局タイムスケジュールを作成し、前記選局タイムスケジュールに基づいて選局処理を行うので、移動体端末装置を用いて、放送波の受信エリアに拘らず、放送局を自動的に選局することができる。
【発明を実施するための最良の形態】
【００１８】
以下、本発明の実施の形態について、添付図面を参照して詳細に説明する。
図１は、本発明の実施の形態に係る自動選局システムの概略構成を示す図である。図１に示す自動選局制御システムは、移動体端末１と、この移動体端末１と移動通信網２及びインターネット３のようなネットワークを介して接続された情報サーバ４及び放送情報サーバ５と、放送番組を提供する放送局６と、放送局６からの番組を視聴する放送サービス受信端末７とから主に構成されている。
【００１９】
移動体端末１は、移動通信網２及びインターネット３を介して情報サーバ４や放送情報サーバ５との間で情報の送受信を行うことができる。また、移動体端末１は、オペレーティングシステム（移動機ＯＳ）を有しており、移動機ＯＳ上でブラウザ機能、ビューワ機能、ＪＡＭ（Java（登録商標）Application Manager）その他の機能が動作する。
【００２０】
移動通信網２は、移動体端末１と移動通信センター（図示せず）との間のネットワークである。この移動通信網２には、通常の移動通信網に加えて移動パケット通信網も含まれる。移動通信網センターは、例えばｉモード（登録商標）サーバなどを有すると共に、移動通信網２とインターネット３とを結ぶゲートウェイ機能を担っており、具体的には、情報配信機能、メール送受信機能、メール蓄積機能、契約顧客管理機能、情報提供者（Information Provider）管理機能、及び情報料課金機能を有する。ネットワークには、インターネット３をはじめその他のネットワーク、例えばＬＡＮやＷＡＮなども含まれる。
【００２１】
情報サーバ４は、放送局選別、該当放送局選別及び選局タイムスケジュール作成を行う放送局自動選局装置として機能し、移動体端末１のエリア情報に基づいて放送可能な放送局を選別し、選別された放送局の放送情報とユーザが移動体端末１に入力した嗜好情報との間のマッチングを行って前記嗜好情報に該当する該当放送局を選別し、前記該当放送局の放送情報を用いて選局タイムスケジュールを作成する。なお、情報サーバ４で行う処理を移動体端末１や後述する放送サービス受信端末７で行うように構成すれば、情報サーバ４を別に設ける必要はない。
【００２２】
放送情報サーバ５は、放送局６が公開した番組のタイムスケジュールやイベント情報などの放送情報を格納し、アクセスしてきたユーザが閲覧できるように公開する。放送局６は、ユーザが視聴する番組を提供するものであり、ユーザが視聴するコンテンツを提供するものであれば、特に制限はない。放送局６としては、例えば、テレビ局、ラジオ局などを挙げることができる。放送サービス受信端末７としては、カーオーディオ、ＴＶチューナー機能を有する端末、ＡＭ／ＦＭラジオチューナー機能を有する端末などを挙げることができる。
【００２３】
このような自動選局システムにおいては、移動体端末装置のエリア情報に基づいて放送可能な放送局を選別し、選別された放送局の放送情報とユーザが前記移動体端末装置に入力した嗜好情報との間のマッチングを行って前記嗜好情報に該当する該当放送局を選別し、前記該当放送局の放送情報を用いて選局タイムスケジュールを作成し、前記選局タイムスケジュールに基づいて選局処理を行う。なお、放送局選別、該当放送局選別及び選局タイムスケジュール作成については、情報サーバ４で行っても良く、移動体端末１で行っても良く、放送サービス受信端末７で行っても良い。
【００２４】
（実施の形態１）
本実施の形態においては、放送局選別、該当放送局選別及び選局タイムスケジュール作成を情報サーバ４で行う場合について説明する。
【００２５】
図２は、本発明の実施の形態１に係る自動選局システムにおける移動体端末の概略構成を示すブロック図である。なお、図２に示す構成は、本発明を説明するために簡略化したものであり、通常の移動体端末に搭載される構成要素は備えているものとする。
【００２６】
図２に示す移動体端末１は、装置全体を制御する制御部１１と、移動通信網２及びインターネット３を介して情報サーバ４と通信を行うと共に、移動通信網２及びインターネット３を介して又は介さずに放送サービス受信端末７と通信を行う通信制御部１２と、ユーザによる入力を行う入力部１３と、少なくとも選局タイムスケジュールを格納する格納部１４と、選局タイムスケジュールに基づいて放送サービス受信端末７に対して選局依頼を行う選局依頼部１５と、自動選局モードと手動選局モードとの間のモード変更を行うモード変更部１６とから主に構成されている。
【００２７】
図２に示す移動体端末１においては、ユーザが検索条件として嗜好情報を入力部１３から入力すると、その嗜好情報が通信制御部１２から移動通信網２及びインターネット３を介して情報サーバ４に送られる。嗜好情報は、移動体端末１に入力されると格納部１４に登録される。また、移動体端末１においては、情報サーバ４から送られた選局タイムスケジュールを通信制御部１２で受け取り、格納部１４に格納する。そして、選局依頼部１５が、選局タイムスケジュールを参照して放送サービス受信端末７に選局を依頼する。すなわち、移動体端末１の通信制御部１２から放送サービス受信端末７に対して選局依頼の旨の制御信号が送信される。ここで、嗜好情報とは、好みの音楽のジャンル・アーティスト名・曲名などを含む情報をいう。なお、嗜好情報は、これに限定されない。
【００２８】
図３は、本発明の実施の形態１に係る自動選局システムにおける情報サーバの概略構成を示すブロック図である。図３に示す情報サーバ４は、装置全体を制御する制御部４１と、移動通信網２及びインターネット３を介して移動体端末１と通信を行うと共に放送情報サーバ５や放送局６と通信を行う通信制御部４２と、放送局６が公開する放送情報を格納する格納部４３と、移動体端末１のエリア情報に基づいて放送可能な放送局を選別する選別部４４と、選別された放送局の放送情報と移動体端末１に入力した嗜好情報との間のマッチングを行うマッチング部４５と、マッチングされた放送情報を用いて選局タイムスケジュールを作成するスケジュール作成部４６とから主に構成されている。
【００２９】
図３に示す情報サーバ４においては、移動体端末１から送られた嗜好情報を通信制御部４２で受け取り、その嗜好情報を格納部４３に格納する。また、放送情報サーバ５から送られた放送局６の放送情報を通信制御部４２で受け取り、その放送情報を格納部４３に格納する。また、情報サーバ４においては、放送局自動選局処理（放送局選別、該当放送局選別及び選局タイムスケジュール作成）を行う。すなわち、選別部４４において、移動体端末１のエリア情報（移動体端末１がどのエリアに存在するかなどの情報）に基づいて放送可能な放送局を選別する。この移動体端末１のエリア情報は、移動体端末１と通信を行う通信制御部４２から得ることができる。そして、マッチング部４５において、選別された放送局の放送情報と移動体端末１で入力された嗜好情報との間のマッチングを行う。その後、スケジュール作成部４６において、マッチングされた放送情報を用いて選局タイムスケジュールを作成する。また、情報サーバ４においては、作成された選局タイムスケジュールを、通信制御部４２からインターネット３及び移動通信網２を介して移動体端末１に送られる。なお、放送情報とは、放送局６が放送を予定している情報（タイムスケジュール）やイベント情報などを含む。
【００３０】
このような構成を有する自動選局システムにおいては、ユーザが移動体端末１に入力した嗜好情報と、公開されている放送情報との間でマッチング検索を行った結果に基づいて、放送局を自動的に選局することができる。この自動選局は、移動体端末１のエリア情報が変更される度に、あるいは、予め設定された検索サイクルで、行うことが好ましい。
【００３１】
このような自動選局システムによれば、移動体端末１に予め嗜好情報を登録することで、放送局を自動選局することが可能となり、ユーザは自分がどこにいるのかを考慮しなくても好みのジャンル、アーティスト、曲名の音楽や番組を視聴することが可能となる。したがって、本発明に係る自動選局システムによれば、放送局の情報に基づいて自動的に選局している、すなわち、放送サービス受信端末が放送局の放送タイムスケジュールに沿って選局しているので、放送局が放送する内容を変更しないで、ユーザの好みの番組を視聴することができる。
【００３２】
次に、本発明の実施の形態１に係る自動選局方法について図４から図６を用いて説明する。
【００３３】
ユーザが好みのジャンル、アーティスト、曲名を移動体端末１の入力部１３から入力すると、その嗜好情報が格納部１４に登録される。また、この嗜好情報は、通信制御部１から移動通信網２及びインターネット３を介して情報サーバ４に送られる（ＳＴ１１）。情報サーバ４においては、通信制御部４２を介して嗜好情報を受け取ると、格納部４３に嗜好情報を格納する（ＳＴ１４）。
【００３４】
一方、放送局６で予め設定された放送タイムスケジュールやイベント情報などの放送情報は、公開処理が行われ、すなわち放送情報サーバ５に送られ（ＳＴ１２）、放送情報サーバ５において、一般の人々が閲覧できるように公開される（ＳＴ１３）。また、この放送情報は、放送情報サーバ５から情報サーバ４に送られ、情報サーバ４において、格納部４３に格納される（ＳＴ１４）。
【００３５】
情報サーバ４においては、選別部４４で移動体端末１のエリア情報に基づいて放送可能な放送局６を選別する（ＳＴ１５）。この場合、選別部４４は、移動体端末１からの信号から移動体端末１がどのエリアに存在するかのエリア情報（セル情報）を通信制御部４２から取得する。また、選別部４４は、移動体端末１のエリア情報と放送局６の放送エリアの情報とを対応づける対応情報を有している。このため、通信制御部４２から取得した移動体端末１のエリア情報と前記対応情報とから放送可能な放送局６を選別する。なお、エリアが重なっている領域において、どちらのエリアを優先するかについては、例えば、通信強度が高いエリアを優先する。
【００３６】
次いで、情報サーバ４においては、マッチング部４５で、選別された放送局の放送情報と移動体端末１からの嗜好情報との間のマッチングを行う（ＳＴ１６）。マッチング部４５は、格納部４３に格納された嗜好情報及び放送情報を抽出し、嗜好情報に含まれるユーザの好みのジャンル、アーティスト、曲名などを有する放送情報における番組を抽出する。そして、マッチング部４５は抽出された番組を含む放送情報を選別部４４に出力し、選別部４４において、抽出された番組を含む放送情報を提供する該当放送局を選別する（ＳＴ１７）。なお、ここでは、放送局選別、マッチング及び該当放送局選別を選別部４４及びマッチング部４５の処理部で行う場合について説明しているが、一つの処理部で放送局選別、マッチング及び該当放送局選別を行っても良い。また、マッチング及び該当放送局選別については、ユーザの嗜好情報の優先度に応じて行っても良い。例えば、曲名→アーティスト名→ジャンルの順で優先的に該当放送局を選別する。なお、優先度を決めるこれらの情報は一例であり、適宜変更することができる。
【００３７】
次いで、情報サーバ４において、スケジュール作成部４６で、マッチングされた放送情報を用いて選局タイムスケジュールを作成する（ＳＴ１８）。抽出された該当放送局の情報はその番組やイベント情報などの情報と共に選別部４４からスケジュール作成部４６に送られる。スケジュール作成部４６においては、該当放送局の番組やイベント情報を参照して、ユーザ用の独自の選局タイムスケジュールを作成する。この放送タイムスケジュールは、必要に応じて格納部４３に格納される。また、選局タイムスケジュールは、通信制御部４２からインターネット３及び移動通信網２を介して移動体端末１に送られる。
【００３８】
移動体端末１においては、通信制御部１２で受けた選局タイムスケジュールを格納部１４に格納する（ＳＴ１９）。次いで、選局依頼部１５は、格納部１４に格納された選局タイムスケジュールを参照して、放送サービス受信端末７に対して選局依頼を行う（ＳＴ２０）。具体的には、移動体端末１が通信制御部１２を介して放送サービス受信端末７に選局情報を送信する。放送サービス受信端末７においては、選局情報を受け取ると、その選局情報にしたがって選局処理を行う（ＳＴ２１）。すなわち、選局情報にしたがって放送局を選択し、その放送局が放送する音楽などを出力する。
【００３９】
このように本実施の形態１に係る自動選局システムによれば、ユーザが移動体端末１に入力した嗜好情報と、公開されている放送情報との間でマッチング検索を行った結果に基づいて、放送局を自動的に選局することができる。したがって、移動体端末１を用いて、放送波の受信エリアに拘らず、放送局を自動的に選局することができる。
【００４０】
本システムにおいては、移動体端末１が移動して放送局の放送可能エリアから外れてしまうことが考えられる。この場合には、自動的に放送局を変更する必要があるかどうかを判定し、放送局を変更する必要があれば、放送局選別、マッチング及び該当放送局選別を行う。例えば、このような処理は、図５に示すような手順で行う。
【００４１】
検索条件（嗜好情報）を入力した後に（ＳＴ３１）、情報サーバ４において、放送局（放送可能局）を変更する必要があるかどうかを判定する（ＳＴ３２）。この判定は、移動体端末１の送信信号に基づいて、上述した移動体端末１のエリア情報と放送局６の放送エリアの情報とを対応づける対応情報を用いて行う。放送局を変更する必要が生じた場合には、優先度に応じてマッチングを行って該当放送局を選別する。すなわち、まず曲名検索でマッチング及び該当放送局選別を行い（ＳＴ３４）、曲名検索で該当放送局がなければ、アーティスト名検索でマッチング及び該当放送局選別を行い（ＳＴ３５）、アーティスト名検索で該当放送局がなければ、ジャンル検索でマッチング及び該当放送局選別を行う（ＳＴ３５）。そして、該当放送局があれば、上述したように、選局タイムスケジュールを作成して移動体端末１から放送サービス受信端末７に選局依頼を行う（ＳＴ３７）。
【００４２】
また、エリア情報が変更しない場合であっても、所定の設定時間が経過したときに、放送局選別、マッチング及び該当放送局選別を行っても良い。この場合、放送局の変更の必要がなくても、設定時間が経過するかどうかを判断し（ＳＴ３３）、設定時間が経過したときに、放送局選別、マッチング及び該当放送局選別を行う。例えば、上記のように、曲名検索、アーティスト検索、ジャンル検索により該当放送局を選別し（ＳＴ３４〜ＳＴ３６）、選局スケジュールを作成して、放送サービス受信端末７に選局依頼を行う（ＳＴ３７）。なお、検索条件の入力は、必ずしも放送局の変更の度に行う必要はない。
【００４３】
また、自動選局と手動選局を使い分けたい場合も考えられる。この場合には、移動体端末１のモード変更部１６により、自動選局モードと手動選局モードとを切り替える。自動選局モードにおいては、上述した処理により自動選局を行う。手動選局モードにおいては、ユーザが本システムを用いずに放送サービス受信端末７に対して手動で選局を行う。さらに、自動選局を優先するモードにおいては、例えば図６に示すような手順にしたがって処理を行う。
【００４４】
まず、自動選局モードであるかどうかを判断する（ＳＴ４１）。自動選局モードにおいて、手動選局を選択するかどうかを判断する（ＳＴ４２）。そして、手動選局を選択した場合には、自動選局を再開するために予め設定された時間が経過するかどうかを判断する（ＳＴ４３）。すなわち、手動選局を選択したが、所定時間が経過すると、自動選局モードに戻る。したがって、自動選局（自動検索）を再開するまでの設定時間が経過していない状態においては、手動選局を行うことができる（ＳＴ４４）。一方、設定時間が経過すると、自動選局モードに戻り、その後は上述したように、放送局選別、マッチング及び該当放送局選別を行う。すなわち、放送局選別及びマッチングを行って該当放送局が有るかどうかを判断し（ＳＴ４５）、該当放送局が有れば、放送タイムスケジュールを作成し、その放送タイムスケジュールにしたがって放送サービス受信端末７に対して選局依頼を行う（ＳＴ４６）。
【００４５】
（実施の形態２）
本実施の形態においては、放送局選別、該当放送局選別及び選局タイムスケジュール作成を移動体端末１で行う場合について説明する。
【００４６】
図７は、本発明の実施の形態２に係る自動選局システムにおける移動体端末の概略構成を示すブロック図である。なお、図７に示す構成は、本発明を説明するために簡略化したものであり、通常の移動体端末に搭載される構成要素は備えているものとする。
【００４７】
図７に示す移動体端末１は、装置全体を制御する制御部１１と、移動通信網２及びインターネット３を介して情報サーバ４と通信を行うと共に、移動通信網２及びインターネット３を介して又は介さずに放送サービス受信端末７と通信を行う通信制御部１２と、ユーザによる入力を行う入力部１３と、少なくとも選局タイムスケジュールを格納する格納部１４と、選局タイムスケジュールに基づいて放送サービス受信端末７に対して選局依頼を行う選局依頼部１５と、自動選局モードと手動選局モードとの間のモード変更を行うモード変更部１６と、自装置のエリア情報に基づいて放送可能な放送局を選別する選別部１７と、選別された放送局の放送情報と嗜好情報との間のマッチングを行うマッチング部１８と、マッチングされた放送情報を用いて選局タイムスケジュールを作成するスケジュール作成部１９とから主に構成されている。
【００４８】
図７に示す移動体端末１においては、ユーザが検索条件として嗜好情報を入力部１３から入力すると、嗜好情報は格納部１４に登録される。放送情報サーバ５から送られた放送局６の放送情報を通信制御部１２で受け取り、その放送情報を格納部１４に格納する。また、移動体端末１においては、放送局自動選局処理（放送局選別、該当放送局選別及び選局タイムスケジュール作成）を行う。すなわち、選別部１７において、自装置のエリア情報（自装置がどのエリアに存在するかなどの情報）に基づいて放送可能な放送局を選別する。この自装置のエリア情報は、通信制御部１２から得ることができる。そして、マッチング部１８において、選別された放送局の放送情報と嗜好情報との間のマッチングを行う。その後、スケジュール作成部１９において、マッチングされた放送情報を用いて選局タイムスケジュールを作成する。そして、選局依頼部１５が、選局タイムスケジュールを参照して放送サービス受信端末７に選局を依頼する。すなわち、移動体端末１の通信制御部１２から放送サービス受信端末７に対して選局依頼の旨の制御信号が送信される。ここで、嗜好情報とは、好みの音楽のジャンル・アーティスト名・曲名などを含む情報をいう。なお、嗜好情報は、これに限定されない。また、放送情報とは、放送局６が放送を予定している情報（タイムスケジュール）やイベント情報などを含む。
【００４９】
このような構成を有する自動選局システムにおいても、ユーザが移動体端末１に入力した嗜好情報と、公開されている放送情報との間でマッチング検索を行った結果に基づいて、放送局を自動的に選局することができる。この自動選局は、移動体端末１のエリア情報が変更される度に、あるいは、予め設定された検索サイクルで、行うことが好ましい。
【００５０】
このような自動選局システムによれば、移動体端末１に予め嗜好情報を登録することで、放送局を自動選局することが可能となり、ユーザは自分がどこにいるのかを考慮しなくても好みのジャンル、アーティスト、曲名の音楽や番組を視聴することが可能となる。したがって、本発明に係る自動選局システムによれば、放送局の情報に基づいて自動的に選局している、すなわち、放送サービス受信端末が放送局の放送タイムスケジュールに沿って選局しているので、放送局が放送する内容を変更しないで、ユーザの好みの番組を視聴することができる。
【００５１】
次に、本発明の実施の形態２に係る自動選局方法について図８を用いて説明する。
ユーザが好みのジャンル、アーティスト、曲名を移動体端末１の入力部１３から入力すると（ＳＴ５１）、その嗜好情報が格納部１４に登録される（ＳＴ５４）。一方、放送局６で予め設定された放送タイムスケジュールやイベント情報などの放送情報は、公開処理が行われ、すなわち放送情報サーバ５に送られ（ＳＴ５２）、放送情報サーバ５において、一般の人々が閲覧できるように公開される（ＳＴ５３）。また、この放送情報は、放送情報サーバ５からインターネット３及び移動通信網２を介して移動体端末１に送られ、移動体端末１において、格納部１４に格納される（ＳＴ５４）。
【００５２】
移動体端末１においては、選別部１７で自装置のエリア情報に基づいて放送可能な放送局６を選別する（ＳＴ５５）。この場合、選別部１７は、通信制御部１２から自装置がどのエリアに存在するかのエリア情報（セル情報）を取得する。また、選別部１７は、移動体端末１のエリア情報と放送局６の放送エリアの情報とを対応づける対応情報を有している。このため、通信制御部１２から取得した自装置のエリア情報と前記対応情報とから放送可能な放送局６を選別する。
【００５３】
次いで、移動体端末１においては、マッチング部１８で、選別された放送局の放送情報と嗜好情報との間のマッチングを行う（ＳＴ５６）。マッチング部１８は、格納部１４に格納された嗜好情報及び放送情報を抽出し、嗜好情報に含まれるユーザの好みのジャンル、アーティスト、曲名などを有する放送情報における番組を抽出する。そして、マッチング部１８は抽出された番組を含む放送情報を選別部１７に出力し、選別部１７において、抽出された番組を含む放送情報を提供する該当放送局を選別する（ＳＴ５７）。なお、ここでは、放送局選別、マッチング及び該当放送局選別を選別部１７及びマッチング部１８の処理部で行う場合について説明しているが、一つの処理部で放送局選別、マッチング及び該当放送局選別を行っても良い。また、マッチング及び該当放送局選別については、ユーザの嗜好情報の優先度に応じて行っても良い。例えば、曲名→アーティスト名→ジャンルの順で優先的に該当放送局を選別する。なお、優先度を決めるこれらの情報は一例であり、適宜変更することができる。
【００５４】
次いで、移動体端末１において、スケジュール作成部１９で、マッチングされた放送情報を用いて選局タイムスケジュールを作成する（ＳＴ５８）。抽出された該当放送局の情報はその番組やイベント情報などの情報と共に選別部１７からスケジュール作成部１９に送られる。スケジュール作成部１９においては、該当放送局の番組やイベント情報を参照して、ユーザ用の独自の選局タイムスケジュールを作成する。この放送タイムスケジュールは、必要に応じて格納部１４に格納される。
【００５５】
次いで、選局依頼部１５は、格納部１４に格納された選局タイムスケジュールを参照して、放送サービス受信端末７に対して選局依頼を行う（ＳＴ５９）。具体的には、移動体端末１が通信制御部１２を介して放送サービス受信端末７に選局情報を送信する。放送サービス受信端末７においては、選局情報を受け取ると、その選局情報にしたがって選局処理を行う（ＳＴ６０）。すなわち、選局情報にしたがって放送局を選択し、その放送局が放送する音楽などを出力する。
【００５６】
このように本実施の形態２に係る自動選局システムによれば、ユーザが移動体端末１に入力した嗜好情報と、公開されている放送情報との間でマッチング検索を行った結果に基づいて、放送局を自動的に選局することができる。したがって、移動体端末１を用いて、放送波の受信エリアに拘らず、放送局を自動的に選局することができる。また、本実施の形態においても、実施の形態１と同様に、放送局の変更（図５）やモード変更（図６）などを行うことが可能である。
【００５７】
（実施の形態３）
本実施の形態においては、放送局選別、該当放送局選別及び選局タイムスケジュール作成を放送サービス受信端末７で行う場合について説明する。
【００５８】
図９は、本発明の実施の形態３に係る自動選局システムにおける移動体端末の概略構成を示すブロック図である。なお、図９に示す構成は、本発明を説明するために簡略化したものであり、通常の移動体端末に搭載される構成要素は備えているものとする。
【００５９】
図９に示す移動体端末１は、装置全体を制御する制御部１１と、移動通信網２及びインターネット３を介して情報サーバ４と通信を行うと共に、移動通信網２及びインターネット３を介して又は介さずに放送サービス受信端末７と通信を行う通信制御部１２と、ユーザによる入力を行う入力部１３と、少なくとも選局タイムスケジュールを格納する格納部１４と、自動選局モードと手動選局モードとの間のモード変更を行うモード変更部１６とから主に構成されている。
【００６０】
図９に示す移動体端末１においては、ユーザが検索条件として嗜好情報を入力部１３から入力すると、嗜好情報は格納部１４に登録される。また、放送情報サーバ５から送られた放送局６の放送情報を通信制御部１２で受け取り、その放送情報を通信制御部１２を介して放送サービス受信端末７に転送する。
【００６１】
図１０は、本発明の実施の形態３に係る自動選局システムにおける放送サービス受信端末の概略構成を示すブロック図である。図１０に示す放送サービス受信端末７は、装置全体を制御する制御部７１と、移動体端末１と通信を行う通信制御部７２と、移動体端末１のエリア情報に基づいて放送可能な放送局を選別する選別部７３と、選別された放送局の放送情報と嗜好情報との間のマッチングを行うマッチング部７４と、マッチングされた放送情報を用いて選局タイムスケジュールを作成するスケジュール作成部７５と、選局処理を行う選局処理部７６と、放送局からの音楽などを出力する出力部７７とから主に構成されている。
【００６２】
放送サービス受信端末７においては、移動体端末１から送られた嗜好情報を通信制御部７２で受け取り、その嗜好情報を格納する。また、放送情報サーバ５から送られた放送局６の放送情報を通信制御部７２で受け取り、その放送情報を格納する。また、放送サービス受信端末７においては、放送局自動選局処理（放送局選別、該当放送局選別及び選局タイムスケジュール作成）を行う。すなわち、選別部７３において、移動体端末１のエリア情報（自装置がどのエリアに存在するかなどの情報）に基づいて放送可能な放送局を選別する。この移動体端末１のエリア情報は、移動体端末１から送られる。そして、マッチング部７４において、選別された放送局の放送情報と嗜好情報との間のマッチングを行う。その後、スケジュール作成部７５において、マッチングされた放送情報を用いて選局タイムスケジュールを作成する。そして、選局処理部７６が選局タイムスケジュールを参照して選局処理を行い、放送局６からの音楽などを出力部７７から出力する。ここで、嗜好情報とは、好みの音楽のジャンル・アーティスト名・曲名などを含む情報をいう。なお、嗜好情報は、これに限定されない。また、放送情報とは、放送局６が放送を予定している情報（タイムスケジュール）やイベント情報などを含む。
【００６３】
このような構成を有する自動選局システムにおいても、ユーザが移動体端末１に入力した嗜好情報と、公開されている放送情報との間でマッチング検索を行った結果に基づいて、放送局を自動的に選局することができる。この自動選局は、移動体端末１のエリア情報が変更される度に、あるいは、予め設定された検索サイクルで、行うことが好ましい。
【００６４】
このような自動選局システムによれば、移動体端末１に予め嗜好情報を登録することで、放送局を自動選局することが可能となり、ユーザは自分がどこにいるのかを考慮しなくても好みのジャンル、アーティスト、曲名の音楽や番組を視聴することが可能となる。したがって、本発明に係る自動選局システムによれば、放送局の情報に基づいて自動的に選局している、すなわち、放送サービス受信端末が放送局の放送タイムスケジュールに沿って選局しているので、放送局が放送する内容を変更しないで、ユーザの好みの番組を視聴することができる。
【００６５】
次に、本発明の実施の形態３に係る自動選局方法について図１１を用いて説明する。
ユーザが好みのジャンル、アーティスト、曲名を移動体端末１の入力部１３から入力すると（ＳＴ７１）、その嗜好情報が移動体端末１から放送サービス受信端末７に送られる。この嗜好情報は放送サービス受信端末７で格納される（ＳＴ７５）。一方、放送局６で予め設定された放送タイムスケジュールやイベント情報などの放送情報は、公開処理が行われ、すなわち放送情報サーバ５に送られ（ＳＴ７２）、放送情報サーバ５において、一般の人々が閲覧できるように公開される（ＳＴ７３）。また、この放送情報は、放送情報サーバ５から移動体端末１を介して放送サービス受信端末７に送られる。すなわち、この放送情報は、放送情報サーバ５から移動体端末１に送られ、その後移動体端末１から放送サービス受信端末７に転送される（ＳＴ７４）。そして、この放送情報は、放送サービス受信端末７に格納される（ＳＴ７５）。
【００６６】
放送サービス受信端末７においては、選別部７３で移動体端末１のエリア情報に基づいて放送可能な放送局６を選別する（ＳＴ７６）。この場合、選別部７３は、移動体端末１から移動体端末１がどのエリアに存在するかのエリア情報（セル情報）を取得する。また、選別部７３は、移動体端末１のエリア情報と放送局６の放送エリアの情報とを対応づける対応情報を有している。このため、移動体端末１から取得した自装置のエリア情報と前記対応情報とから放送可能な放送局６を選別する。
【００６７】
次いで、放送サービス受信端末７においては、マッチング部７４で、選別された放送局の放送情報と嗜好情報との間のマッチングを行う（ＳＴ７７）。マッチング部７４は、格納された嗜好情報及び放送情報を抽出し、嗜好情報に含まれるユーザの好みのジャンル、アーティスト、曲名などを有する放送情報における番組を抽出する。そして、マッチング部７４は抽出された番組を含む放送情報を選別部７３に出力し、選別部７３において、抽出された番組を含む放送情報を提供する該当放送局を選別する（ＳＴ７８）。なお、ここでは、放送局選別、マッチング及び該当放送局選別を選別部７３及びマッチング部７４の処理部で行う場合について説明しているが、一つの処理部で放送局選別、マッチング及び該当放送局選別を行っても良い。また、マッチング及び該当放送局選別については、ユーザの嗜好情報の優先度に応じて行っても良い。例えば、曲名→アーティスト名→ジャンルの順で優先的に該当放送局を選別する。なお、優先度を決めるこれらの情報は一例であり、適宜変更することができる。
【００６８】
次いで、放送サービス受信端末７において、スケジュール作成部７５で、マッチングされた放送情報を用いて選局タイムスケジュールを作成する（ＳＴ７９）。抽出された該当放送局の情報はその番組やイベント情報などの情報と共に選別部７３からスケジュール作成部７５に送られる。スケジュール作成部７５においては、該当放送局の番組やイベント情報を参照して、ユーザ用の独自の選局タイムスケジュールを作成する。この放送タイムスケジュールは、必要に応じて格納される。
【００６９】
次いで、選局処理部７６は、選局タイムスケジュールにしたがって選局処理を行う（ＳＴ８０）。すなわち、選局情報にしたがって放送局を選択し、その放送局が放送する音楽などを出力部７７から出力する。
【００７０】
このように本実施の形態３に係る自動選局システムによれば、ユーザが移動体端末１に入力した嗜好情報と、公開されている放送情報との間でマッチング検索を行った結果に基づいて、放送局を自動的に選局することができる。したがって、移動体端末１を用いて、放送波の受信エリアに拘らず、放送局を自動的に選局することができる。また、本実施の形態においても、実施の形態１と同様に、放送局の変更（図５）やモード変更（図６）などを行うことが可能である。
【００７１】
本発明は上記実施の形態１〜３に限定されず、種々変更して実施することが可能である。例えば、上記実施の形態１〜３における嗜好情報、放送情報、優先度については一例であり、適宜変更して実施することが可能である。また、上記実施の形態１〜３においては、音楽を出力する場合について説明しているが、本発明においては、テレビ画像や映像などを出力する場合についても同様に適用することができる。また、上記実施の形態１〜３は適宜組み合わせて実施することも可能である。その他、本発明の範囲を逸脱しないで適宜変更して実施することが可能である。
【図面の簡単な説明】
【００７２】
【図１】本発明の実施の形態に係る自動選局システムの概略構成を示す図である。
【図２】本発明の実施の形態１に係る自動選局システムにおける移動体端末の概略構成を示すブロック図である。
【図３】本発明の実施の形態１に係る自動選局システムにおける情報サーバの概略構成を示すブロック図である。
【図４】本発明の実施の形態１に係る自動選局方法を説明するためのシーケンス図である。
【図５】本発明の実施の形態に係る自動選局方法における選局タイムスケジュール作成を説明するためのフロー図である。
【図６】本発明の実施の形態に係る自動選局方法における選局処理を説明するためのフロー図である。
【図７】本発明の実施の形態２に係る自動選局システムにおける移動体端末の概略構成を示すブロック図である。
【図８】本発明の実施の形態２に係る自動選局方法を説明するためのシーケンス図である。
【図９】本発明の実施の形態３に係る自動選局システムにおける移動体端末の概略構成を示すブロック図である。
【図１０】本発明の実施の形態３に係る自動選局システムにおけるほうさ王サービス受信端末の概略構成を示すブロック図である。
【図１１】本発明の実施の形態３に係る自動選局方法を説明するためのシーケンス図である。
【符号の説明】
【００７３】
１  移動体端末
２  移動通信網
３  インターネット
４  情報サーバ
５  放送情報サーバ
６  放送局
７  放送サービス受信端末
１１，４１，７１  制御部
１２，４２，７２  通信制御部
１３  入力部
１４，４３  格納部
１５  選局依頼部
１６  モード変更部
１７，４４，７３  選別部
１８，４５，７４  マッチング部
１９，４６，７５  スケジュール作成部
７６  選局処理部
７７  出力部
【図１】
2007306124.tif 000003
【図２】
2007306124.tif 000004
【図３】
2007306124.tif 000005
【図４】
2007306124.tif 000006
【図５】
2007306124.tif 000007
【図６】
2007306124.tif 000008
【図７】
2007306124.tif 000009
【図８】
2007306124.tif 000010
【図９】
2007306124.tif 000011
【図１０】
2007306124.tif 000012
【図１１】
2007306124.tif 000013